(57)【要約】      （修正有）【課題】従来の着色の無い自然石では不可能であった、状況に応じた多彩なアレンジが可能であり、且つ、劣化に強く、環境保全にも貢献する敷石や園芸用の石材を提供する。【解決手段】本カラーストーンは、敷石又は園芸に用いられる複数の細粒状の石材であって、この石材の一部又は全てが少なくとも一色の塗料で着色されたものである。このカラーストーンは、墓石４の周囲に敷かれる敷石として用いることができ、墓石４の色、形状に応じて、所望の色のカラーストーン（石材２，３等）が選択できる。また、このカラーストーンは、花壇の石材としても用いることができ、花壇全体のレイアウトに応じて、色を含むカラーストーンの諸仕様が定められる。【選択図】  図２
2005060931.tif 000002
【特許請求の範囲】
【請求項１】
敷石又は園芸に用いられる複数の細粒状の石材であって、該石材の一部又は全てが少なくとも一色の塗料で着色されたカラーストーン。
【請求項２】
墓石の周囲に敷かれる敷石として用いられ、該墓石の色、形状に応じて、所望の色が選択できる請求項１に記載のカラーストーン。
【請求項３】
墓石の周囲に敷かれる敷石として用いられ、該墓石、該墓石の付帯部材を含む墓地全体のレイアウトに応じて、色を含む諸仕様が定められる請求項１に記載のカラーストーン。
【請求項４】
花壇の石材として用いられ、該花壇全体のレイアウトに応じて、色を含む諸仕様が定められる請求項１に記載のカラーストーン。
【請求項５】
墓地の外形、墓石、該墓石の付帯部材、カラーストーンを組み合わせた様々なレイアウトパターンから、最適なレイアウトを選択する工程１と、
前記レイアウトを参照しながら、必要に応じ、予め準備された墓石カラーサンプルを用いて、前記レイアウト上の前記墓石の仕様を定める工程３と、
前記レイアウトを参照しながら、必要に応じ、付帯部材カラーサンプルを用いて、前記レイアウト上の前記付帯部材の仕様を定める工程３と、
前記レイアウトを参照しながら、カラーストーンカラーサンプルを用いて前記レイアウト上の前記カラーストーンの仕様を定める工程４と、を備えたカラーストーンの仕様決定方法。
【請求項６】
墓地の外形を定める墓地外形決定部と、
墓石の仕様を定める墓石仕様決定部と、
墓地の付帯部材の仕様を定める付帯部材仕様決定部と、
カラーストーンの仕様を定めるカラーストーン仕様決定部と、
前記墓地の外形、前記墓石、前記付帯部材、前記カラーストーンを組み合わせたレイアウトパターンが備えられたテンプレートと、
前記テンプレートからのデータと、前記墓地外形決定部からのデータと、前記墓石仕様決定部からのデータと、前記付帯部材仕様決定部からのデータと、前記カラーストーン仕様決定部からのデータとを組み合わせてレイアウトを作成する制御部と、
前記制御部が作成した前記レイアウトの画像を映し出すディスプレーと、
人が外部から入力を行うキーボードと、
前記ディスプレー及び前記キーボードと、前記制御部を接続する入出力制御部と、を備えたカラーストーンの仕様決定システム。
【発明の詳細な説明】
【０００１】
【発明の属する技術分野】
本発明は、敷石、園芸、墓地装飾等に用いられる細粒状の石材に関する。
【０００２】
【従来の技術】
近年、微粒状の石材に着色を施した着色砂（カラーサンド）が、土木建築、舗装用に用いられている。また、特許文献１、特許文献２に記載されているように、着色砂が砂場用の砂として用いられている。
【０００３】
【特許文献１】
特開２００３−２４６４８
【特許文献２】
特開平１０−１９２５５４
【０００４】
【発明が解決しようとする課題】
しかし、上述の着色砂は、主に道路の標識用に用いられたり、幼児への教育用であったりして、敷石や園芸等の石材として、色合いの美しさや華やかさを演出する目的のものは存在しない。また、微粒状の石材への着色はあっても、敷石や園芸用に用いられる細粒状の石材に着色を施したものはない。
【０００５】
従って、敷石や園芸用としては、自然色の石材しか存在しないので、状況に合わせ、好みの色の石材を用いてアレンジをしようと思っても、あくまで自然の石の色の中から選択できるに過ぎず、非常に限定されたアレンジしか行えないのが現状である。あくまで自然色がベースなので、画材的な役割を持たない。
【０００６】
また、敷石や園芸に用いる場合には、着色のない石材では、雨の影響や太陽光の影響で、石材に亀裂や損傷が生じて劣化が進む恐れがある。特に、現在問題になっている酸性雨の場合には、酸に弱い石材では大きな問題となる。また、石材の劣化だけでなく、夏場では、着色のされていない敷石や園芸用石材から反射される太陽光により、人がいわゆる照り返しを受け、また、周囲の温度の上昇の原因ともなる。
【０００７】
従って、本発明の目的は、従来の着色の無い自然石では不可能であった、状況に応じた多彩なアレンジが可能であり、且つ、劣化に強く、環境保全にも貢献する敷石や園芸用の石材を提供することにある。
【０００８】
【課題を解決するための手段】
上述した問題を解決するため、本発明のカラーストーンの第１の態様は、敷石又は園芸に用いられる複数の細粒状の石材であって、石材の一部又は全てが少なくとも一色の塗料で着色されたカラーストーンである。
【０００９】
本発明のカラーストーンの他の態様は、墓石の周囲に敷かれる敷石として用いられ、墓石の色、形状に応じて、所望の色が選択できるカラーストーンである。
【００１０】
本発明のカラーストーンの他の態様は、墓石の周囲に敷かれる敷石として用いられ、墓石、墓石の付帯部材を含む墓地全体のレイアウトに応じて、色を含む諸仕様が定められるカラーストーンである。
【００１１】
本発明のカラーストーンの他の態様は、花壇の石材として用いられ、花壇全体のレイアウトに応じて、色を含む諸仕様が定められるカラーストーンである。
【００１２】
本発明のカラーストーンの仕様決定方法の第１の態様は、墓地の外形、墓石、墓石の付帯部材、カラーストーンを組み合わせた様々なレイアウトパターンから、最適なレイアウトを選択する工程１と、レイアウトを参照しながら、必要に応じ、予め準備された墓石カラーサンプルを用いて、レイアウト上の墓石の仕様を定める工程３と、レイアウトを参照しながら、必要に応じ、付帯部材カラーサンプルを用いて、レイアウト上の付帯部材の仕様を定める工程３と、レイアウトを参照しながら、カラーストーンカラーサンプルを用いてレイアウト上のカラーストーンの仕様を定める工程４と、を備えたカラーストーンの仕様決定方法である。
【００１３】
本発明のカラーストーンの仕様決定システムの第１の態様は、墓地の外形を定める墓地外形決定部と、
墓石の仕様を定める墓石仕様決定部と、
墓地の付帯部材の仕様を定める付帯部材仕様決定部と、
カラーストーンの仕様を定めるカラーストーン仕様決定部と、
墓地の外形、墓石、付帯部材、カラーストーンを組み合わせたレイアウトパターンが備えられたテンプレートと、
テンプレートからのデータと、墓地外形決定部からのデータと、墓石仕様決定部からのデータと、付帯部材仕様決定部からのデータと、カラーストーン仕様決定部からのデータとを組み合わせてレイアウトを作成する制御部と、
制御部が作成したレイアウトの画像を映し出すディスプレーと、
人が外部から入力を行うキーボードと、
ディスプレー及びキーボードと、制御部を接続する入出力制御部と、を備えたカラーストーンの仕様決定システムである。
【００１４】
本発明のカラーストーンの他の態様は、塗料が紫外線吸収材を含んだ紫外線吸収塗料であるカラーストーンである。
【００１５】
本発明のカラーストーンの他の態様は、塗料が紫外線に当たると発色又は変色する紫外線発色性塗料であるカラーストーンである。
【００１６】
【発明の実施の形態】
細粒状の石材に着色がなされた本発明のカラーストーンの実施の形態について、図面を参照しながら詳細に説明する。
【００１７】
（カラーストーン全般の説明）
図１は本発明のカラーストーンを、敷石として用いた場合の実施形態を示す。図１（ａ）は従来の着色のない石材を用いた場合を示し、図１（ｂ）は本発明のカラーストーンを用いた場合を示す。
石材としては、粒径が８ｍｍ〜５０ｍｍの細粒状の石材が考えられる。石の材質としては、火成岩や変成岩をはじめとするあらゆる自然石を用いることができる。
図１（ａ）は、全てが自然石の色のままの石材１で占められている。この自然石は、比較的濃い色彩を有している。図１（ｂ）に示す実施形態では、自然石のまま着色をしない石材１と、淡い色彩の塗料で着色された石材２と、白色の塗料で着色された石材３によってカラーストーンが構成されている。石材１と石材２と石材３の比率が、この実施形態ではおおむね１：２：２の割合となっている。
【００１８】
図１（ａ）と図１（ｂ）を比較すると、着色のない自然石だけでは非常に暗く単調な感じを与えるが、本発明に係るカラーストーンを用いた場合には、自然食だけでは表せない明るさや華やかさが演出できる。
【００１９】
もちろん本発明のカラーストーンを用いれば、上述の実施形態だけでなく、他の様々な形態が考えられる。例えば、淡い色のカラーストーンだけでなく、濃い色に着色して落ち着いた雰囲気を演出することも可能である。その他、任意の色彩に着色することが可能であり、色の種類も、その割合も、任意に定めることができる。また、自然石のままの石材とミックスして使用することも可能であるし、カラーストーンのみを使用することも可能である。
【００２０】
本発明のカラーストーンを用いれば、今まで使用されなかった多彩な色の中から所望の色を選択でき、単なる敷石、園芸用石材としての役割を越え、画材の役割をも果たすことができる。
【００２１】
また、敷石や園芸用に用いられる石材は、主に屋外で使用されるため風雨や日照にさらされるため、損傷や劣化しやすい状況に置かれている。本発明のカラーストーンを用いることによって、上述の色彩による美的効果、演出的効果だけでなく、塗装をすることによって、石材の損傷や劣化を防ぎ、変色を防ぐ効果もある。
【００２２】
雨に関しては、現在、酸性雨が問題となっており、特に、大理石（寒水石）や花崗岩等の石は、酸に弱く大きな問題となる。酸性雨に対する本発明のカラーストーンの効果を検証するため、塗装のされていない花崗岩又は大理石と、この石に塗装を施したカラーストーンを用いて、比較試験を行った。
【００２３】
試験は、酸性の液体（食酢）中に、自然石とカラーストーンを浸して、その溶損を調べた。自然石の方は、液体に入れた直後から二酸化炭素を発生し、２４時間つけ置き後には完全に溶け出していた。一方、本発明のカラーストーンは、つけ置き後２４時間を経過した後でも、全く解けていなかった。
【００２４】
以上の試験結果から、本発明のカラーストーンを用いれば、たとえ酸性雨にさらされたとしても、石材の劣化が防止され長く美しさを保つことができることが証明された。また、石材の溶解に伴うガス発生も少なくなり、環境に対しても良い影響を与えるものと考えられる。
【００２５】
また、本発明のカラーストーンの他の実施形態として、紫外線吸収材を溶解した塗料を用いて着色することが考えられる。着色の詳細に関しては、追って詳述する。この紫外線吸収剤が、太陽光の紫外線を吸収するため、塗装された石材は、紫外線の影響が大幅に低減されるので、紫外線による石材の劣化を大幅に改善することができる。また、紫外線によって、石材が反射する紫外線も減らすことができるので、敷石や園芸用に用いられた場合には、照り返しによる人の悪影響を緩和することができる。また、照り返しによる環境温度の上昇も防げるため、環境に対してもフレンドリーな石材といえる。
【００２６】
更に、着色したことによって、コケ、雑草等が生えることも防ぐこともできるので、石材の美しさを保ち、劣化を防ぐことができる。また、塗料に防虫効果のある物質を含有させることによって、害虫を寄せ付けない等の効果を得ることもできる。
【００２７】
（墓石の周囲の敷石にカラーストーンを適用した場合の説明）
次に、図２に上述のカラーストーンを墓石４の周囲に敷かれた敷石に適用した場合の実施形態を示す。図２（ａ）は、従来の着色をしていない石材１のみを用いたものを示し、図２（ｂ）は、上述のカラーストーンの石材２と石材３を用いた場合を示す。図から明らかなとおり、着色がされていない自然石のままでは、非常に暗いイメージのする墓が、白色や淡い色のカラーストーンを用いることによって、従来では想像もできなかったような、明るく美しい墓に生まれ変わらせることが可能になった。
【００２８】
また、例えば、季節に合わせて、気温低い時期には暖色系のカラーストーンを用いることによって墓参者の寒さを和らげ、気温の高い季節には寒色系のカラーストーンを用いることで、墓参者の暑さを和らげる等のきめ細かいアレンジも可能となる。
【００２９】
現状、墓石については、ユーザが素材や形状等を事前に選択することが可能であるが、墓石の周囲に敷かれる敷石については、自然石の色のままであり、黒、白、灰色のごく限られた色しか得ることができない。また、敷石は、あくまで墓石の付帯物として、ユーザが任意に選択することはできなかった。しかし、本発明のカラーストーンを用いれば、墓地の外形、墓石の色や形上、外柵等の付帯部材の色や形状に合わせて、ユーザが任意の色のカラーストーンを用いることが可能であり、墓全体を自由にコーディネイトすることが可能となる。
本発明のカラーストーンを用いれば、今まで使用されなかった多彩な色の中から、所望の色の石を用いることができる。
【００３０】
墓地に着色された石を使用することは、伝統的に否定的な考えも存在し、今までそのような発想することは無かった。実際、全国どこの墓地でも、自然石のごく限られた種類の砂利しか使用されていなかった。従って、本発明のカラーストーンを墓に使用する発想により、墓廻りの環境を向上させるだけでなく、新たな需要が生まれ、経済的活動へも寄与し経済的発展につながるものである。
【００３１】
（カラーストーンの仕様決定の方法についての説明）
次に、図３に、墓石等の仕様に合わせて、墓全体をコーディネイトしながらカラーストーンの仕様を定める手順を、図３に示したフロー図を用いて説明する。ユーザが自ら墓地の外形に合わせて、墓石の色や形状等の仕様を定め、更に付帯部材の仕様を定め、カラーストーンの色を初めとする仕様を定めることができる。予め様々な仕様の墓石、付帯部材、カラーストーンのカラーサンプルを用意して、ユーザが様々な組み合わせを行って、最適な各仕様を決定していくことができる。
【００３２】
しかし、専門知識のないユーザでは独力で定めることができない場合もある。その場合、専門家が予め墓地の形状に合わせて、墓石の仕様、付帯設備の仕様、カラーストーンの仕様等について、いくつかの仕様のパターンを準備し、トータルコーディネーションの観点から最適なレイアウトパターンを作成して、準備しておくことが考えられる。
ユーザは、この専門家によって予め準備されたレイアウトパターンに基づき、更に、個々の好みに合わせて修整を行うことによって、各仕様を定めることができる。
【００３３】
図３のフロー図においては、ユーザは、まず、墓地外形、墓石、付帯部材、カラーストーンが予め準備されたレイアウトパターンを使用するか否かを決定する。（ステップＳ−１）
【００３４】
もし、レイアウトパターンを使用しない場合には、まず、予め準備された墓地外形サンプルを用いて、墓地の外形を決定する。（ステップＳ−２）
次に、予め用意された墓石カラーサンプルを用いて、上記の墓地の外形に基づいて、墓石の形状、色、材質等の墓石の仕様を決定する。（ステップＳ−３）
引き続いて、予め用意された外柵等の付帯部材のカラーサンプルを用いて、上述の墓地外形と墓石の組み合わせに応じて、最適な付帯部材の仕様を決定する。（ステップＳ−４）
引き続いて、予め用意されたカラーストーンのカラーサンプルを用いて、上述の墓地外形、墓石、付帯部材の組み合わせに応じて、粒径、色、材質等の最適なカラーストーンの仕様を決定する。（ステップＳ−５）
【００３５】
一方、もし、レイアウトパターンを使用する場合には、予め準備された墓地外形、墓石、外柵等の付帯部材、カラーストーンを組み合わせたレイアウトをチェックして、ユーザは最適なものを選択する。（ステップＳ−６）
【００３６】
そして、そのレイアウトに基づき、上述の墓石カラーサンプル、付帯部材カラーサンプルを用いて、ユーザは必要に応じて各構成要素の仕様を修整し、また、墓地全体のコーディネーションを考慮しながら、カラーストーンカラーサンプルを用いて、最適なカラーストーンの仕様を決定することができる。（ステップＳ−７）
【００３７】
以上の手順によって、墓地外形、墓石、付帯部材のトータルコーディネイションを考慮ながら、ユーザは、色を初めとするカラーストーンの最適な仕様を決定することができる。
【００３８】
（カラーストーン仕様決定システムの説明）
また、上述のカラーストーンの使用を決定する方法を、コンピュータを用いて実現するカラーストーンン仕様決定システムを構築することもできる。このシステムを用いれば、ユーザが、ディスプレー上に映し出された墓全体のレイアウトに基づいて、色を初めとする最適な仕様のカラーストーンを決定するシステムを提供することも可能である。
【００３９】
図４にこのカラーストーンの仕様を決定するシステム２０の機能ブロック線図を示す。このシステム２０は、メモリ２１ａに保管された種々の墓地外形データから、墓地の外形を決定する墓地外形決定部２１と、メモリ２２ａに保管された種々の墓石のデータから、最適な墓石の仕様を決定する墓石仕様決定部２２と、メモリ２３ａに保管された外柵を初めとする付帯部材のデータから、最適な付帯部材の仕様を決定する付帯部材仕様決定部２３と、メモリ２４ａに保管された種々のカラーストーンのデータから、最適なカラーストーンの仕様を決定するカラーストーン仕様決定部２４が備えられている。
【００４０】
また、上述のように、専門化によって、予め、墓地外形、墓石、付帯設備、カラーストーンを組み合わせて作られた最適なレイアウトパターンが、テンプレート２９に備えられている。
【００４１】
各決定部２１〜２４により仕様が定められた墓地外形、墓石、付帯部材、カラーストーンのデータ、及び、テンプレート２９からのデータが、制御部２５で統合され、ユーザが選択したレイアウトが作成される。制御部２５には、入出力制御部２６を介して、キーボード２７とディスプレー２８が接続されている。ユーザは、ディスプレーに映し出された墓石、付帯部材、カラーストーンを確認しながら、キーボード２７から入力することによって、所望の仕様に変更することができる。ディスプレー２８に、仕様が変更された後のレイアウトが映し出され、ユーザは墓全体のバランスを画像でチェックしながら、最適なカラーストーンの仕様を決定することができる。
【００４２】
各決定部の内容を更に詳細に説明すると、墓地外形決定部２１では、メモリ２１ａに保管された様々な種類の墓地の外形のデータから、ユーザがこのシステムを適用する墓地の外形を決定する。墓石仕様決定部２２では、メモリ２２ａに記憶されたデータから、墓の形状、墓石の色、墓石の材質等の仕様を決定する。付帯部材仕様決定部２３では、メモリ２３ａに記憶されたデータから、外柵等の付帯部材の仕様を決定する。カラーストーン仕様決定部２４では、メモリ２４ａに記憶されたデータから、カラーストーンの粒径、カラーストーンの色、カラーストーンの材質（石の種類）等の仕様を決定する。
また、テンプレート２９には、予め専門家によって作成された、墓地外形、墓石、外柵等の付帯部材、カラーストーンを組み合わせたレイアウトパターンが保管されている。
【００４３】
以上のように、本システム２０を用いれば、ユーザは、墓全体の画像をチェックしながら、専門家の経験に基づくレイアウトに自分の好みの仕様を加えた墓を創り上げていくことができる。
【００４４】
（花壇にカラーストーンを適用した場合の説明）
次に、本発明のカラーストーンを花壇の石材として使用する場合を説明する。
従来、花壇等に使用する園芸用の石材は、自然石のまま使用するものであり、花壇の美しさや華やかさは、あくまで花壇に咲く花による部分が大きい。この場合、日照をあまり期待できない日陰に設置された花壇や、季節的にあまり花が咲かない時期には、本来の花壇の美しさを期待することはできない。
【００４５】
従って、例えば、花壇に植える植物の間に赤や黄色等の花の色をあしらったカラーストーンを配置することによって、実際に花が咲いていない場合でも、同様の美しさや華やかさを演出することができる。また、カラーストーンをアレンジして擬似フラワーを作ることも可能である。
更に、花が咲いている花壇に対しても、その花とカラーコーディネイトさせたカラーストーンを配置することで、更に華やかな花壇を演出することができる。
【００４６】
自然石では色の種類が少なく、限定されてしまうが、本発明のカラーストーンは、色の種類も多く、自然石に無い多くの種類の色彩を加えることができる。
従って、日陰にてガーデニング（園芸）をあきらめていた人や、手入れを面倒くさいと思う人や、虫嫌いの人でもガーデニングに興味を抱き楽しさを見出すことができる。
【００４７】
また、上述の説明は、花壇について行っているが、本発明のカラーストーンは、花壇だけでなくあらゆる園芸用の石材料に適用できる。
この花壇に用いるカラーストーンの仕様を決定する場合にも、上述の墓石の周囲の敷石への適用と同様に、花壇全体を考慮して仕様を決定するシステムを構築することができる。
【００４８】
この場合、墓地の外形、墓石の仕様、付帯部材の仕様の部分が、花壇の外形、植物（花）の使用、外柵等の付帯部材の仕様等に置き換われば、全く同様に、図３のフロー図に示される仕様決定方法、及び、図４に示されるシステムを使用することができる。また、この決定方法やシステムは、花壇のみならず、カラーストーンを用いるその他あらゆる案件に適用できる。
【００４９】
（石材の着色についての説明）
本発明のカラーストーンに着色方法の一つの実施形態を説明する。この実施形態では、塗料に紫外線吸収物質を含有させている。着色は、塗料の中に石材を浸して塗装する方法を用いて行われる。ただし、この方法以外でも、刷毛等により石材に塗料を塗布する方法、スプレーによる方法等、その他様々な塗装方法を行なうことができる。
【００５０】
（その他の実施形態）
本発明のカラーストーンの、その他の実施形態として、紫外線に当たると発色または変色する塗料により着色したものが考えられる。この紫外線発色塗料は、塗料に紫外線吸収材、光活性剤、変色材を溶融させたもので、紫外線を当てることによって、当初は無色だったものを発色させたり、色を変化させたりすることができる。
【００５１】
例えば、このカラーストーンを花壇に用いれば、日が当たった時に赤色に変色して花が咲いたような効果を演出すことができる。また、墓石の周りの敷石に用いる場合において、日が当たった場合には、青色に変色して清涼感を感じさせるようにすることも可能である。また、季節的な日照の変化によって、季節的な変化を与えることも可能である。
また、色の変色の具合により、人に紫外線の強さを知らせる紫外線センサーとして機能させることも可能である。例えば、公園や砂場等、子供が屋外で遊ぶ場所にこのカラーストーンを適用することで、カラーストーンがある色に変色した場合には、子供が室内へ戻る目安にする等の活用ができる。
また、野菜等の園芸作物を、長さ、曲がりについての許容範囲（商品として売れる範囲）に納めるためには、日照量の管理が重要である。従って、この紫外線発色塗料を用いたカラーストーンを適用すれば、石材の色の変化を目安に、的確な日照量の管理が可能となる。
【００５２】
本発明のカラーストーンの実施形態は、上述の形態に留まらず、その他のあらゆる石材に適用できる。
【００５３】
【発明の効果】
本発明のカラーストーンによって、今まで単調な自然石の色しかなかった敷石や園芸用の石材に、今までに無い明るさや華やかさ等の様々な視覚的効果を与えることができる。例えば、墓石の周りに明るい色を配して墓のイメージを明るく変えることができ、花壇に鮮やかな色合いのカラーストーンを配すれば、花の色を補完して、通常、植物の育ちにくい日陰の部分や日陰の花壇にも、色鮮やかな華やかさを演出することができる。また、植木の手入れ等をきらう方でも、花壇により一層の楽しさと華やかさを求めることができる。
【００５４】
更に、着色することによって、雨や日照から石材を保護して、石材料の劣化を防ぐことができる。特に酸性雨等に対しては効果が大きく、環境の面でも多くの利点がある。
更に、紫外線吸収材を溶解させた塗料を用いることによって、石材の劣化を防ぎ、周囲温度の上昇を防ぐ等の環境面へも良い影響をあたえることができる。
【００５５】
更に、紫外線に当たると発色や変色する紫外線発色性塗料で着色したカラーストーンを用いることによって、日の当たる場合や季節の変化によって、石材の色の変化を生じさせることができ、大きな視覚的な演出効果を得ることができる。
また、人に紫外線の強さを知らせる紫外線センサーとしても機能させることができる。
【００５６】
更に、従来は墓の付帯部材としてユーザが選択の余地の無かった墓石の周囲の敷石について、本発明のカラーストーンを用いれば、墓全体をコーディネイトした最適な色の敷石を選定することができる。また、予め準備されたレイアウトパターンやカラーサンプルを用いればユーザは容易に最適なカラーストーンを決定することができる。
【００５７】
更に、墓全体をコーディネイトして、カラーストーンの仕様を決定するシステムを提供することができる。また、このシステムは、その他、花壇等に用いる園芸用の石材の仕様を定めるシステムにも適用することができる。
【図面の簡単な説明】
【図１】塗装の無い自然石と本発明のカラーストーンが、敷石として用いられた場合の図である。
【図２】塗装の無い自然石と本発明のカラーストーンが、墓石の周囲に敷かれた敷石として用いられた場合の図である。
【図３】墓地全体をコーディネイトしながら、カラーストーンの仕様を定める手順を示したフロー図である。
【図４】墓地全体をコーディネイトしながら、カラーストーンの仕様を定めるシステムを示した機能ブロック線図である。
【００００】
【符号の説明】
１      自然石
２      淡い色のカラーストーン
３      白色のカラーストーン
４      墓石
２０    カラーストーン仕様決定システム
２１    墓地外形決定部
２１ａ  メモリ
２２    墓石仕様決定部
２２ａ  メモリ
２３    付帯部材仕様決定部
２３ａ  メモリ
２４    カラーストーン仕様決定部
２４ａ  メモリ
２５    制御部
２６    入出力制御部
２７    キーボード
２８    ディスプレー
２９    テンプレート
【図１】
2005060931.tif 000003
【図２】
2005060931.tif 000004
【図３】
2005060931.tif 000005
【図４】
2005060931.tif 000006